【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
ユーザのクライアントデバイスによる方法であって、
前記ユーザによってテキスト入力ボックス内に入力されたサーチクエリの１以上の文字を受け取るステップと、
受け取った前記サーチクエリの文字に応答して、前記クライアントデバイスに記憶された情報からのサーチ結果の第１の組を編集するステップと、
サーチ結果の前記第１の組のリストを前記ユーザに表示するために提供する、提供ステップと、
前記サーチクエリの文字の数が文字のしきい値数よりも大きくなるように前記ユーザが１以上の追加の文字を入力したか否かを決定するステップと、
前記サーチクエリの文字の数が文字のしきい値数よりも大きいと決定された場合、１以上のリモートサーバから取り出された情報からのサーチ結果の第２の組を編集するステップと、
既に表示されているサーチ結果の前記第１の組に加えて、サーチ結果の前記第２の組を前記ユーザに表示するために提供するステップと、を備える、方法。
【請求項２】
サーチ結果の前記第１の組およびサーチ結果の前記第２の組の少なくとも１つは、前記１以上の追加の文字を受け取る前に前記ユーザに表示される、請求項１に記載の方法。
【請求項３】
サーチ結果の前記第１の組における前記サーチ結果の各々は、前記サーチクエリの前記文字に一致する、請求項１に記載の方法。
【請求項４】
サーチ結果の前記第２の組における前記サーチ結果の各々は、前記サーチクエリの前記文字に一致する、請求項１に記載の方法。
【請求項５】
前記サーチクエリはＮ個の文字を備え、前記第１のユーザが前記Ｎ番目の文字を入力することに応答して、サーチ結果の前記第１の組が生成される、請求項１に記載の方法。
【請求項６】
前記サーチクエリはＮ個の文字を備え、前記第１のユーザが前記Ｎ＋１番目の文字を入力することに応答して、サーチ結果の前記第２の組が生成される、請求項１に記載の方法。
【請求項７】
前記ユーザは、オンラインソーシャルネットワークのソーシャルチャートの第１のノードに関連付けられており、
サーチ結果の前記第１の組は、前記ソーシャルチャートの１以上の第２のノードに関連付けられており、
サーチ結果の前記第２の組は、前記ソーシャルチャートの１以上の第３のノードに関連付けられており、
サーチ結果の前記第１の組の前記サーチ結果の各々は、前記ユーザの前記第１のノードからの離間の程度のしきい値内に存在する前記１以上の第２のノードのうちの１つの第２のノードに対応する、請求項１に記載の方法。
【請求項８】
前記提供ステップは、
前記クライアントデバイスの画面の１つの部分を、サーチ結果の前記第１の組およびサーチ結果の前記第２の組における１以上のサーチ結果の各々に対して割り当てるステップと、
それぞれのサーチ結果に割り当てられた前記画面の前記１つの部分におけるサーチ結果の前記第１の組およびサーチ結果の前記第２の組における１以上のサーチ結果の各々に関連付けられているイメージを表示するステップであって、前記イメージは前記画面の前記１つの部分を実質的に消費する、ステップと、を備える、請求項７に記載の方法。
【請求項９】
サーチ結果の前記第１の組に関連付けられている前記１以上のイメージの各々は、前記それぞれの第２のノードに対応し、前記それぞれの第２のノードに関連付けられている１以上のイメージから１つのイメージを選択することに基づいて、前記１以上のイメージが選択され、
サーチ結果の前記第２の組に関連付けられている前記１以上のイメージの各々は、前記それぞれの第３のノードに対応し、前記それぞれの第３のノードに関連付けられている１以上のイメージから１つのイメージを選択することに基づいて、サーチ結果の前記第２の組の前記１以上のイメージが選択される、請求項８に記載の方法。
【請求項１０】
１以上のプロセッサによって実行可能な命令を有するメモリを備えるシステムであって、前記１以上のプロセッサは、前記メモリに結合され、および、前記命令を実行するように動作可能であり、前記１以上のプロセッサは、前記命令を実行すると、
前記ユーザによってテキスト入力ボックス内に入力されたサーチクエリの１以上の文字を受け取るステップと、
受け取った前記サーチクエリの文字に応答して、前記クライアントデバイスに記憶された情報からのサーチ結果の第１の組を編集するステップと、
サーチ結果の前記第１の組のリストを前記ユーザに表示するために提供する、提供ステップと、
前記サーチクエリの文字の数が文字のしきい値数よりも大きくなるように前記ユーザが１以上の追加の文字を入力したか否かを決定するステップと、
前記サーチクエリの文字の数が文字のしきい値数よりも大きいと決定された場合、１以上のリモートサーバから取り出された情報からのサーチ結果の第２の組を編集するステップと、
既に表示されているサーチ結果の前記第１の組に加えて、サーチ結果の前記第２の組を前記ユーザに表示するために提供するステップと、が行われるように構成される、システム。
【請求項１１】
サーチ結果の前記第１の組およびサーチ結果の前記第２の組の少なくとも１つは、前記１以上の追加の文字を受け取る前に前記ユーザに表示される、請求項１０に記載のシステム。
【請求項１２】
サーチ結果の前記第１の組における前記サーチ結果の各々は、前記サーチクエリの前記文字に一致する、請求項１０に記載のシステム。
【請求項１３】
サーチ結果の前記第２の組における前記サーチ結果の各々は、前記サーチクエリの前記文字に一致する、請求項１０に記載のシステム。
【請求項１４】
前記サーチクエリはＮ個の文字を備え、前記第１のユーザが前記Ｎ番目の文字を入力することに応答して、サーチ結果の前記第１の組が生成される、請求項１０に記載のシステム。
【請求項１５】
前記サーチクエリはＮ個の文字を備え、前記第１のユーザが前記Ｎ＋１番目の文字を入力することに応答して、サーチ結果の前記第２の組が生成される、請求項１０に記載のシステム。
【請求項１６】
前記ユーザは、オンラインソーシャルネットワークのソーシャルチャートの第１のノードに関連付けられており、
サーチ結果の前記第１の組は、前記ソーシャルチャートの１以上の第２のノードに関連付けられており、
サーチ結果の前記第２の組は、前記ソーシャルチャートの１以上の第３のノードに関連付けられており、
サーチ結果の前記第１の組の前記サーチ結果の各々は、前記ユーザの前記第１のノードからの離間の程度のしきい値内に存在する前記１以上の第２のノードのうちの１つの第２のノードに対応する、請求項１０に記載のシステム。
【請求項１７】
前記提供ステップは、
前記クライアントデバイスの画面の１つの部分を、サーチ結果の前記第１の組およびサーチ結果の前記第２の組における１以上のサーチ結果の各々に対して割り当てるステップと、
それぞれのサーチ結果に割り当てられた前記画面の前記１つの部分におけるサーチ結果の前記第１の組およびサーチ結果の前記第２の組における１以上のサーチ結果の各々に関連付けられているイメージを表示するステップであって、前記イメージは前記画面の前記１つの部分を実質的に消費する、ステップと、を備える、請求項１６に記載のシステム。
【請求項１８】
サーチ結果の前記第１の組に関連付けられている前記１以上のイメージの各々は、前記それぞれの第２のノードに対応し、前記それぞれの第２のノードに関連付けられている１以上のイメージから１つのイメージを選択することに基づいて、前記１以上のイメージが選択され、
サーチ結果の前記第２の組に関連付けられている前記１以上のイメージの各々は、前記それぞれの第３のノードに対応し、前記それぞれの第３のノードに関連付けられている１以上のイメージから１つのイメージを選択することに基づいて、サーチ結果の前記第２の組の前記１以上のイメージが選択される、請求項１７に記載のシステム。
【請求項１９】
ソフトウェアを具体化する１以上の非一時的なコンピュータ可読記憶媒体であって、前記ソフトウェアが、１以上のコンピュータシステムによって実行されると、
前記ユーザによってテキスト入力ボックス内に入力されたサーチクエリの１以上の文字を受け取るステップと、
受け取った前記サーチクエリの文字に応答して、前記クライアントデバイスに記憶された情報からのサーチ結果の第１の組を編集するステップと、
サーチ結果の前記第１の組のリストを前記ユーザに表示するために提供する、提供ステ
ップと、
前記サーチクエリの文字の数が文字のしきい値数よりも大きくなるように前記ユーザが１以上の追加の文字を入力したか否かを決定するステップと、
前記サーチクエリの文字の数が文字のしきい値数よりも大きいと決定された場合、１以上のリモートサーバから取り出された情報からのサーチ結果の第２の組を編集するステップと、
既に表示されているサーチ結果の前記第１の組に加えて、サーチ結果の前記第２の組を前記ユーザに表示するために提供するステップと、が行われる、記憶媒体。